(57)【要約】【課題】  符号化オーディオ信号における収音環境と再生環境の差異を補正した新たな符号化オーディオ信号に再編集できる装置を提供する。【解決手段】  編集装置は、複数のチャンネル信号列を符号化したストリームが、空間音響情報もしくは聴覚的音響情報と呼ばれる音場を制御できる情報をパラメータに含んでいるとき、そのパラメータを書き換えて、ストリームにおける収音環境と再生環境の差異を補正した新たな符号化オーディオ信号に再編集する。【選択図】  図１
2006067367.tif 000002
【特許請求の範囲】
【請求項１】
複数のチャンネル信号列を混入したダウンミックス信号を符号化した基本符号化データと、前記ダウンミックスされた信号を元のチャンネルに分離するための補助情報とからなるストリームを編集する装置であって、
前記ストリームが記録された記録媒体と、
前記ストリームから前記補助情報を分離する補助情報分離手段と、
前記補助情報を変更する補助情報変更手段と、
前記基本符号化データと前記補助情報とを組み合わせ前記ストリームと同じ構造をもつストリームを再構築するストリーム再構築手段と
を備えることを特徴とする符号化オーディオ信号の編集装置。
【請求項２】
前記編集装置は、前記補助情報を視覚的にモニタリングする出力装置をさらに備えることを特徴とする請求項１記載の符号化オーディオ信号の編集装置。
【請求項３】
前記編集装置は、前記ストリームのデコードをするためのデコーダ装置をさらに備えることを特徴とする請求項２記載の符号化オーディオ信号の編集装置。
【発明の詳細な説明】
【技術分野】
【０００１】
本発明は、符号化されたオーディオ信号の編集装置に関する。特に複数のチャンネル信号列を混入したダウンミックス信号を符号化した基本符号化データと、元のチャンネルに分離するための補助情報とをもつオーディオ信号の編集装置に関する。
【背景技術】
【０００２】
従来のオーディオ信号符号化方法、および、復号化方法としては、公知なものとしてＩＳＯ／ＩＥＣの国際標準方式、通称ＭＰＥＧ方式などが挙げられる。現在、幅広い応用を持ち、低ビットレート時でも高音質な符号化方式として、ＩＳＯ／ＩＥＣ  １３８１８−７、通称ＭＰＥＧ２  ＡＡＣ（Ａｄｖａｎｃｅｄ  Ａｕｄｉｏ  Ｃｏｄｉｎｇ）などがあげられる。本方式の拡張規格も複数規格化が現在なされている。
【０００３】
その一つとして、空間音響情報（Ｓｐａｔｉａｌ  Ｃｕｅ  Ｉｎｆｏｒｍａｔｉｏｎ）もしくは、聴覚的音響情報（Ｂｉｎａｕｒａｌ  Ｃｕｅ）と呼ばれる情報を利用する技術がある。このような技術の例としては、ＩＳＯ国際標準規格であるＭＰＥＧ−４  Ａｕｄｉｏ  （ＩＳＯ／ＩＥＣ  １４４９６−３）において定められたパラメトリックステレオ（Ｐａｒａｍｅｔｒｉｃ  Ｓｔｅｒｅｏ）方式がある（例えば、非特許文献１参照。）。また、これ以外にも他の方式がある（例えば、特許文献１、特許文献２参照。）。
【非特許文献１】ＩＳＯ／ＩＥＣ  １４４９６−３：２００１／Ａｍｄ  ２：２００４  “Ｐａｒａｍｅｔｒｉｃ  ｃｏｄｉｎｇ  ｆｏｒ  ｈｉｇｈ−ｑｕａｌｉｔｙ  ａｕｄｉｏ”
【特許文献１】米国特許出願公開第２００３／００３５５５３号明細書
【特許文献２】米国特許出願公開第２００３／０２１９１３０号明細書
【発明の開示】
【発明が解決しようとする課題】
【０００４】
しかしながら、前記符号化方法で複数のチャンネル信号列からなるコンテンツをエンコードしストリームを作成した場合、該コンテンツの収音した環境と該ストリームの再生する環境を全く同じにしなければ、該コンテンツのもつ音場を完全に再現することは出来ない。しかしながら、収音環境と再生環境を全く同じにするということは必ずしも現実的ではない。例えば、マルチチャンネル対応のオーサリングルームで収録したコンテンツから作成したストリームを車内で再生することを考えると、車に該オーサリングルームと同様の環境を作り出さなくてはならなくなる。以上のように、収音環境と再生環境が異なる場合、音場の完全な再現ができないという課題があった。
【０００５】
本発明は、このような従来の問題点に鑑みてなされたものであって、前記符号化方法で符号化されたオーディオ信号に含まれる空間音響情報もしくは聴覚的音響情報と呼ばれる情報を書き換えることで音場が制御できることを利用し、前記符号化オーディオ信号における収音環境と再生環境の差異を補正した新たな符号化オーディオ信号に再編集できる装置を提供することを目的とする。
【課題を解決するための手段】
【０００６】
上記の課題を解決するため、本願の請求項１記載の発明は、複数のチャンネル信号列を混入したダウンミックス信号を符号化した基本符号化データと、前記ダウンミックスされた信号を元のチャンネルに分離するための補助情報とからなるストリームを編集する装置であって、前記ストリームが記録された記録媒体と、前記ストリームから前記補助情報を分離する補助情報分離手段と、前記補助情報を変更する補助情報変更手段と、前記基本符号化データと前記補助情報とを組み合わせ前記ストリームを再構築するストリーム再構築手段とを備えたことを特徴とするものである。
【０００７】
また、本願の請求項２記載の発明は、請求項１記載の編集装置において、前記補助情報を視覚的にモニタリングする出力装置をさらに備えたことを特徴とするものである。
また、本願の請求項３記載の発明は、請求項２記載の編集装置において、前記ストリームのデコードをするためのデコーダ装置をさらに備えたことを特徴とするものである。
【発明の効果】
【０００８】
請求項１の発明によれば、ストリームの編集装置において、前記ストリームの中の前記補助情報に含まれる空間音響情報もしくは聴覚的音響情報と呼ばれる情報を表すパラメータを書き換えることによって音場を制御できることを利用し、前記ストリームの収音した環境と前記ストリームの再生する環境が異なる場合においても、収音環境と再生環境との差異を補正した新たなストリームに再編集できる装置を提供することとなる。
【０００９】
請求項２の発明によれば、上記空間音響情報もしくは聴覚的音響情報と呼ばれる情報を表すパラメータを直に見ながら前記ストリームの編集ができるので、音場の制御が明確になることとなる。
【００１０】
請求項３の発明によれば、編集後の新たなストリームを聴いて確認することができるので、直感的に音場が制御できることとなる。
【発明を実施するための最良の形態】
【００１１】
以下、本発明の実施の形態を、図面を参照しながら説明する。
（実施の形態）
以下本発明の実施におけるストリーム編集装置について図面を参照しながら説明する。
【００１２】
図１は本実施の形態におけるストリーム編集装置の構成を示す図である。図１において、ストリーム１０１は、複数のチャンネル信号列（例えば、Ｌｆ，Ｒｆ，Ｃ，Ｌｂ，Ｒｂ，ＬＦＥ）を符号化したストリームであり、複数のチャンネル信号列を混入したダウンミックス信号を符号化した基本符号化データ１０５と、ダウンミックス信号を元のチャンネルに分離するための補助情報１０６（例えば、各チャンネル間レベル差、位相差、相関度などのパラメータ）とからなる。
【００１３】
記録媒体１００はストリーム１０１が記録されている記録媒体である。また、デジタル記録媒体である。例えば、ハードディスクや光ディスクなどのディスク媒体や半導体メモリでもよい。
【００１４】
補助情報分離手段１０２はストリーム１０１を基本符号化データ１０５と補助情報１０６に分離する。
補助情報変更手段１０３は補助情報１０６を編集する。以下、編集された補助情報１０６を編集後の補助情報１０７として区別する。
【００１５】
ストリーム再構築手段１０４は基本符号化データ１０５と変更された補助情報１０７とを結合しストリーム１０１と同じ構造を持つ新たなストリームに再構築する。
以上のように構成されたストリーム編集装置の動作について以下説明する。
【００１６】
まず、補助情報分離手段１０２は、記録媒体１００に記録されたストリーム１０１を読み出す。例えば、補助情報分離手段１０２から記録媒体１００に対し、ストリームを逐次読み出すためのアドレスを送出し、アドレスに基づいて読み出されたストリームを補助情報分離手段１０２が受け取る。
【００１７】
次に、補助情報分離手段１０２は、入力されたストリーム１０１を基本符号化データ１０５と補助情報１０６に分離する。ここで、図２は前記ストリームの構造の一例を表す図である。図２に示すように、本実施の形態ではストリーム１０１がストリームのヘッダー部分２０１に全てのフレームの補助情報に関するデータ２００を持つ構造であるとする。すなわち、補助情報テーブル２００には各フレームにおける補助情報の位置と長さが記述されている。図３は、補助情報分離手段１０２の構成を表す図である。図３に示すように、補助情報分離手段１０２は、補助情報テーブル２００と入力されたストリーム１０１とから補助情報抽出手段３００を用いて補助情報１０６を取り出し，残りを基本符号化データ１０５として出力する。
【００１８】
なお、補助情報１０６の取り出し方法は、以上のような方法でなくてもよい。例えば、ＭＰＥＧ規格ＡＡＣのＦｉｌｌ  Ｅｌｅｍｅｎｔに補助情報を書き込む方法であれば、ＡＡＣのＦｉｌｌ  Ｅｌｅｍｅｎｔの解析方法を用いて取り出すことも可能である。
【００１９】
さらに、ストリーム１０１から取り出された補助情報１０６は、補助情報変更手段１０３に送られる。補助情報変更手段１０３は、補助情報抽出手段３００において取り出された補助情報１０６の中にある各パラメータがあらかじめ設定されていたように書き換えて編集する。例えば、Ｌｆ−Ｒｆレベル差を、０に近づけるような値に書き換えるように補助情報変更手段１０３に事前に設定しておくことにより、編集後ストリームの音像の定位位置を、編集前ストリームの音像の定位位置よりも中央に寄せることが出来る。
【００２０】
そして、ストリーム再構築手段１０４は、基本符号化データ１０５と編集後の補助情報１０７とを結合し、ストリーム１０１と同じ構造を持つ新たなストリームを再構築し、記録媒体１００に書き込む。
【００２１】
なお、図４はストリームを編集する装置の一例である。図４に示すようにストリームをデコードするためのデコーダ装置４００とマンマシンインターフェース４０１を備えてもよい。デコーダ装置４００とマンマシンインターフェース４０１を備えることによって、編集者４０２が補助情報１０６の中にある各パラメータを直に入力して書き換えて編集することも可能となり、さらに編集者４０２がパラメータを見ながら、編集後のストリームの音を確認することも可能となる。
【００２２】
以上の方法でストリームの書き換えを行うことにより、編集者の所望の音場を実現することが可能となる。
【産業上の利用可能性】
【００２３】
本発明は、空間音響符号化技術を用いた機器、たとえばＰＣや携帯電話、小型情報機器に利用できる。将来、放送・通信・インターネットなどで空間符号化を施されたデータが流通する際にも利用できる。
【図面の簡単な説明】
【００２４】
【図１】補助情報編集装置の基本図である。
【図２】ヘッダーに補助情報に関するテーブルを持つストリーム構造を表す図である。
【図３】図２における補助情報分離手段を表す図である。
【図４】モニタリング装置と入力インターフェースを持ったストリーム編集装置を示す図である。
【符号の説明】
【００２５】
１００  記録媒体
１０１  ストリーム
１０２  補助情報分離手段
１０３  補助情報変更手段
１０４  ストリーム再構築手段
１０５  基本符号化データ
１０６  補助情報
１０７  編集後の補助情報
２００  補助情報テーブル
３００  補助情報抽出手段
４００  デコーダ装置
４０１  マンマシンインターフェース
４０２  編集者
【図１】
2006067367.tif 000003
【図２】
2006067367.tif 000004
【図３】
2006067367.tif 000005
【図４】
2006067367.tif 000006